(57)【要約】【課題】動画特性の改善、または３次元画像表示用に右目用画像と左目用画像とを交互に表示する等の用途のため黒表示期間を挿入することによる液晶表示装置の走査におけるタイミングマージンの減少の程度を軽減することができる液晶表示装置組立体を提供する。【解決手段】表示領域ユニットにおける線順次走査が完了した後、該表示領域ユニットに対応する面状光源ユニットが発光状態となるまでの待ち時間は、１つのフレーム期間において線順次走査が最初に完了する表示領域ユニットにおける待ち時間が最長になるように設定され、線順次走査が最後に完了する表示領域ユニットにおける待ち時間が最短になるように設定され、１つのフレーム期間において線順次走査が最初に完了する表示領域ユニットと線順次走査が最後に完了する表示領域ユニットとの間に位置する表示領域ユニットにおける前記待ち時間は、走査が完了する順番に応じて減少するように設定されている。【選択図】  図６
2010175797.tif 000002
【特許請求の範囲】
【請求項１】
（Ａ）マトリクス状に配列された画素から構成された表示領域を有する透過型の液晶表示装置、
（Ｂ）表示領域を複数の表示領域ユニットに分割したと想定したときの各表示領域ユニットに対応した複数の面状光源ユニットから成り、各面状光源ユニットは対応する表示領域ユニットに光を照射する面状光源装置、並びに、
（Ｃ）液晶表示装置及び面状光源装置を駆動する駆動回路、
を備えており、
液晶表示装置は線順次走査され、以て、各表示領域ユニットを構成する画素は線順次走査され、
表示領域ユニットに対応する面状光源ユニットは、表示領域ユニットの線順次走査が完了した後に、所定の期間に亙って発光状態とされ、
或るフレーム期間において線順次走査が最後に完了する表示領域ユニットに対応する面状光源ユニットの発光期間と、該或るフレーム期間の次のフレーム期間において線順次走査が最初に完了する表示領域ユニットに対応する面状光源ユニットの発光期間とは、重複しないように設定され、
表示領域ユニットにおける線順次走査が完了した後、該表示領域ユニットに対応する面状光源ユニットが発光状態となるまでの待ち時間は、１つのフレーム期間において線順次走査が最初に完了する表示領域ユニットにおける待ち時間が最長になるように設定され、線順次走査が最後に完了する表示領域ユニットにおける待ち時間が最短になるように設定され、
１つのフレーム期間において線順次走査が最初に完了する表示領域ユニットと線順次走査が最後に完了する表示領域ユニットとの間に位置する表示領域ユニットにおける前記待ち時間は、走査が完了する順番に応じて減少するように設定されている液晶表示装置組立体。
【請求項２】
或るフレーム期間において線順次走査が最初に完了した表示領域ユニットに対応する面状光源ユニットの発光期間の始期と、該或るフレーム期間において線順次走査が最後に完了した表示領域ユニットに対応する面状光源ユニットの発光期間の終期との間の期間が映像表示期間を構成する請求項１に記載の液晶表示装置組立体。
【請求項３】
或るフレーム期間において線順次走査が最後に完了した表示領域ユニットに対応する面状光源ユニットの発光期間の終期と、該或るフレーム期間の次のフレーム期間において線順次走査が最初に完了した表示領域ユニットに対応する面状光源ユニットの発光期間の始期との間の期間が黒表示期間を構成する請求項１又は請求項２に記載の液晶表示装置組立体。
【請求項４】
（Ａ）マトリクス状に配列された画素から構成された表示領域を有する透過型の液晶表示装置、
（Ｂ）表示領域を複数の表示領域ユニットに分割したと想定したときの各表示領域ユニットに対応した複数の面状光源ユニットから成り、各面状光源ユニットは対応する表示領域ユニットに光を照射する面状光源装置、並びに、
（Ｃ）液晶表示装置及び面状光源装置を駆動する駆動回路、
を備えた液晶表示装置組立体を用いて、
液晶表示装置を線順次走査し、以て、各表示領域ユニットを構成する画素を線順次走査する処理と、
表示領域ユニットに対応する面状光源ユニットを、表示領域ユニットの線順次走査が完了した後に、所定の期間に亙って発光状態とする処理とを備えており、
或るフレーム期間において線順次走査が最後に完了する表示領域ユニットに対応する面状光源ユニットの発光期間と、該或るフレーム期間の次のフレーム期間において線順次走査が最初に完了する表示領域ユニットに対応する面状光源ユニットの発光期間とは、重複しないように設定され、
表示領域ユニットにおける線順次走査が完了した後、該表示領域ユニットに対応する面状光源ユニットが発光状態となるまでの待ち時間は、１つのフレーム期間において線順次走査が最初に完了する表示領域ユニットにおける待ち時間が最長になるように設定され、線順次走査が最後に完了する表示領域ユニットにおける待ち時間が最短になるように設定され、
１つのフレーム期間において線順次走査が最初に完了する表示領域ユニットと線順次走査が最後に完了する表示領域ユニットとの間に位置する表示領域ユニットにおける前記待ち時間は、走査が完了する順番に応じて減少するように設定されている液晶表示装置組立体の駆動方法。
【請求項５】
或るフレーム期間において線順次走査が最初に完了した表示領域ユニットに対応する面状光源ユニットの発光期間の始期と、該或るフレーム期間において線順次走査が最後に完了した表示領域ユニットに対応する面状光源ユニットの発光期間の終期との間の期間が映像表示期間を構成する請求項４に記載の液晶表示装置組立体の駆動方法。
【請求項６】
或るフレーム期間において線順次走査が最後に完了した表示領域ユニットに対応する面状光源ユニットの発光期間の終期と、該或るフレーム期間の次のフレーム期間において線順次走査が最初に完了した表示領域ユニットに対応する面状光源ユニットの発光期間の始期との間の期間が黒表示期間を構成する請求項４又は請求項５に記載の液晶表示装置組立体の駆動方法。
【発明の詳細な説明】
【技術分野】
【０００１】
本発明は、液晶表示装置組立体、及び、液晶表示装置組立体の駆動方法に関する。
【背景技術】
【０００２】
液晶表示装置にあっては、液晶材料それ自体は発光しない。従って、例えば、液晶表示装置の表示領域を照射する面状光源装置（バックライト）を、複数の画素から構成された表示領域の背面に配置する。尚、カラー液晶表示装置において、１画素は、例えば、赤色発光副画素、緑色発光副画素及び青色発光副画素の３種の副画素から構成されている。そして、各画素あるいは各副画素を構成する液晶セルを、一種の光シャッター（ライト・バルブ）として動作させることによって、即ち、各画素あるいは各副画素の光透過率（開口率）を制御し、面状光源装置から出射された照明光（例えば、白色光）の光透過率を制御することで、画像を表示している。
【０００３】
従来、液晶表示装置組立体における面状光源装置は、表示領域全体を、均一、且つ、一定の明るさで照明しているが、エッジボケによる動画表示品位の低下を招いていた。このため、複数の面状光源ユニットから構成され、面状光源ユニットに対応する液晶表示装置の部分の走査の完了と同期して各面状光源ユニットが順次点灯するように制御される面状光源装置が提案されている。係る面状光源装置を備えた液晶表示装置組立体が、例えば、特開２０００−３２１５５１号公報から周知である。この液晶表示装置組立体によれば、アクティブマトリクス型の液晶表示装置における動画ボケが軽減され、動画表示性能の改善を図ることができる。
【先行技術文献】
【特許文献】
【０００４】
【特許文献１】特開２０００−３２１５５１号公報
【発明の概要】
【発明が解決しようとする課題】
【０００５】
映像表示期間と映像表示期間との間に、画面を黒く表示する期間（黒表示期間）を挿入すると、フレーム画像と次のフレーム画像とが時間的に完全に分離される。これにより、更に、動画表示特性が向上する。しかしながら、例えば黒表示期間がない状態においてフレームレートが６０ヘルツであるとき、黒表示期間を挿入するとすれば、１秒間に映像表示期間と黒表示期間とが合わせて１２０個存在するように液晶表示装置組立体を駆動する必要がある。そして、例えば映像表示期間と黒表示期間の長さを略同一の長さに設定するとすれば、面状光源ユニットに対応する液晶表示装置の部分の走査の完了と同期して各面状光源ユニットが順次点灯するように制御される面状光源装置（以下、便宜のため、同期型の面状光源装置と略称する）を備えた液晶表示装置組立体においては、１／６０（秒）のフレーム期間のうちの約半分で液晶表示装置を走査しなければならない。また、液晶表示装置組立体に３次元画像表示用の右目用画像と左目用画像とを交互に表示するような用途にあっては、実質的にフレーム期間は半分の１／１２０（秒）となり、１秒間に映像表示期間と黒表示期間とが合わせて２４０個存在するように液晶表示装置組立体を駆動する必要がある。同期型の面状光源装置を備えた液晶表示装置組立体においては、黒表示期間を挿入すると液晶表示装置の走査期間を短くせざるを得ず、走査におけるタイミングマージンが減少する等といった問題が生ずる。
【０００６】
従って、本発明の目的は、黒表示期間を挿入することによる液晶表示装置の走査におけるタイミングマージンの減少の程度を軽減することができる、液晶表示装置組立体、及び、液晶表示装置組立体の駆動方法を提供することにある。
【課題を解決するための手段】
【０００７】
上記の目的を達成するための本発明の液晶表示装置組立体、及び、上記の目的を達成するための本発明の液晶表示装置組立体の駆動方法に用いられる液晶表示装置組立体（以下、これらを単に、本発明の液晶表示装置組立体と呼ぶ場合がある）は、
（Ａ）マトリクス状に配列された画素から構成された表示領域を有する透過型の液晶表示装置、
（Ｂ）表示領域を複数の表示領域ユニットに分割したと想定したときの各表示領域ユニットに対応した複数の面状光源ユニットから成り、各面状光源ユニットは対応する表示領域ユニットに光を照射する面状光源装置、並びに、
（Ｃ）液晶表示装置及び面状光源装置を駆動する駆動回路、
を備えている。
【０００８】
上記の目的を達成するための本発明の液晶表示装置組立体にあっては、
液晶表示装置は線順次走査され、以て、各表示領域ユニットを構成する画素は線順次走査され、
表示領域ユニットに対応する面状光源ユニットは、表示領域ユニットの線順次走査が完了した後に、所定の期間に亙って発光状態とされ、
或るフレーム期間において線順次走査が最後に完了する表示領域ユニットに対応する面状光源ユニットの発光期間と、該或るフレーム期間の次のフレーム期間において線順次走査が最初に完了する表示領域ユニットに対応する面状光源ユニットの発光期間とは、重複しないように設定され、
表示領域ユニットにおける線順次走査が完了した後、該表示領域ユニットに対応する面状光源ユニットが発光状態となるまでの待ち時間は、１つのフレーム期間において線順次走査が最初に完了する表示領域ユニットにおける待ち時間が最長になるように設定され、線順次走査が最後に完了する表示領域ユニットにおける待ち時間が最短になるように設定され、
１つのフレーム期間において線順次走査が最初に完了する表示領域ユニットと線順次走査が最後に完了する表示領域ユニットとの間に位置する表示領域ユニットにおける前記待ち時間は、走査が完了する順番に応じて減少するように設定されている。
【０００９】
上記の目的を達成するための本発明の液晶表示装置組立体の駆動方法にあっては、本発明の液晶表示装置組立体を用いて、
液晶表示装置を線順次走査し、以て、各表示領域ユニットを構成する画素を線順次走査する処理と、
表示領域ユニットに対応する面状光源ユニットを、表示領域ユニットの線順次走査が完了した後に、所定の期間に亙って発光状態とする処理とを備えており、
或るフレーム期間において線順次走査が最後に完了する表示領域ユニットに対応する面状光源ユニットの発光期間と、該或るフレーム期間の次のフレーム期間において線順次走査が最初に完了する表示領域ユニットに対応する面状光源ユニットの発光期間とは、重複しないように設定され、
表示領域ユニットにおける線順次走査が完了した後、該表示領域ユニットに対応する面状光源ユニットが発光状態となるまでの待ち時間は、１つのフレーム期間において線順次走査が最初に完了する表示領域ユニットにおける待ち時間が最長になるように設定され、線順次走査が最後に完了する表示領域ユニットにおける待ち時間が最短になるように設定され、
１つのフレーム期間において線順次走査が最初に完了する表示領域ユニットと線順次走査が最後に完了する表示領域ユニットとの間に位置する表示領域ユニットにおける前記待ち時間は、走査が完了する順番に応じて減少するように設定されている。
【発明の効果】
【００１０】
本発明の液晶表示装置組立体、及び、本発明の液晶表示装置組立体の駆動方法にあっては、表示領域ユニットにおける線順次走査が完了した後、該表示領域ユニットに対応する面状光源ユニットが発光状態となるまでの待ち時間は、線順次走査が最初に完了する表示領域ユニットにおける待ち時間が最長になるように設定され、線順次走査が最後に完了する表示領域ユニットにおける待ち時間が最短になるように設定されている。そして、線順次走査が最初に完了する表示領域ユニットと線順次走査が最後に完了する表示領域ユニットとの間に位置する表示領域ユニットにおける前記待ち時間は、走査が完了する順番に応じて減少するように設定されている。これにより、同期型の面状光源装置を備えた液晶表示装置組立体や係る液晶表示装置組立体を用いた駆動方法に対し、液晶表示装置の走査期間をより長い期間に設定することができる。
【図面の簡単な説明】
【００１１】
【図１】図１は、カラー液晶表示装置、面状光源装置、及び、駆動回路を備えた液晶表示装置組立体の概念図である。
【図２】図２の（Ａ）は、実施例の面状光源装置における隔壁や発光ダイオード等の配置、配列状態を模式的に示す平面図であり、図２の（Ｂ）は、実施例の液晶表示装置組立体の模式的な端面図である。
【図３】図３は、液晶表示装置組立体の模式的な一部断面図である。
【図４】図４は、カラー液晶表示装置の模式的な一部断面図である。
【図５】図５は、参考例の液晶表示装置組立体の動作の模式的なタイミングチャートである。
【図６】図６は、実施例の液晶表示装置組立体の動作の模式的なタイミングチャートである。
【図７】図７の（Ａ）及び（Ｂ）は、参考例における映像表示期間及び黒表示期間を説明するための表示領域の模式的な平面図である。図７の（Ｃ）及び（Ｄ）は、実施例における黒表示期間及び映像表示期間を説明するための表示領域の模式的な平面図である。
【図８】図８の（Ａ）乃至（Ｄ）は、参考例における液晶表示装置組立体を構成する面状光源装置及びカラー液晶表示装置の動作状態を模式的に示す図である。
【図９】図９の（Ａ）乃至（Ｄ）は、図８の（Ｄ）に引き続き、参考例における液晶表示装置組立体を構成する面状光源装置及びカラー液晶表示装置の動作状態を模式的に示す図である。
【図１０】図１０の（Ａ）乃至（Ｃ）は、図９の（Ｄ）に引き続き、参考例における液晶表示装置組立体を構成する面状光源装置及びカラー液晶表示装置の動作状態を模式的に示す図である。
【図１１】図１１の（Ａ）乃至（Ｄ）は、実施例における液晶表示装置組立体を構成する面状光源装置及びカラー液晶表示装置の動作状態を模式的に示す図である。
【図１２】図１２の（Ａ）乃至（Ｄ）は、図１１の（Ｄ）に引き続き、実施例における液晶表示装置組立体を構成する面状光源装置及びカラー液晶表示装置の動作状態を模式的に示す図である。
【図１３】図１３の（Ａ）乃至（Ｃ）は、図１２の（Ｄ）に引き続き、実施例における液晶表示装置組立体を構成する面状光源装置及びカラー液晶表示装置の動作状態を模式的に示す図である。
【図１４】図１４は、変型例の液晶表示装置組立体の動作の模式的なタイミングチャートである。
【発明を実施するための形態】
【００１２】
以下、図面を参照して、実施例に基づき本発明の液晶表示装置組立体、及び、本発明の液晶表示装置組立体の駆動方法（以下、これらを単に、本発明と略称する場合がある）を説明する。尚、説明は以下の順序で行う。
１．本発明についてのより詳しい説明
２．実施例において用いられる液晶表示装置組立体の概要の説明
３．実施例
【００１３】
〈本発明についてのより詳しい説明〉
本発明の液晶表示装置組立体、及び、本発明の液晶表示装置組立体の駆動方法にあっては、或るフレーム期間において線順次走査が最初に完了した表示領域ユニットに対応する面状光源ユニットの発光期間の始期と、該或るフレーム期間において線順次走査が最後に完了した表示領域ユニットに対応する面状光源ユニットの発光期間の終期との間の期間が映像表示期間を構成する態様とすることができる。また、或るフレーム期間において線順次走査が最後に完了した表示領域ユニットに対応する面状光源ユニットの発光期間の終期と、該或るフレーム期間の次のフレーム期間において線順次走査が最初に完了した表示領域ユニットに対応する面状光源ユニットの発光期間の始期との間の期間が黒表示期間を構成する態様とすることができる。
【００１４】
液晶表示装置における仮想の表示領域ユニットは、基本的には、走査方向に並んだ所定の行数分の画素毎に分割されている構成とすることができる。液晶表示装置において２次元マトリクス状に配列された画素（ピクセル）の数がＭ0×Ｎ0であり、第１行目乃至第Ｎ0行目の画素が順次走査される構成にあっては、仮想の表示領域ユニットの数の最小値は「２」であり、最大値は「Ｎ0」である。仮想の表示領域ユニットの数は、基本的には、面状光源ユニットの設計に応じて決定すればよい。表示領域ユニットにおける画素の行数は、一定であってもよいし、異なっていてもよい。
【００１５】
面状光源装置を構成する面状光源ユニットの光源として、発光ダイオード（ＬＥＤ）を挙げることができるし、あるいは又、エレクトロルミネッセンス（ＥＬ）装置、冷陰極電界電子放出装置（ＦＥＤ）、プラズマ表示装置等を挙げることができる。発光状態／非発光状態の制御に支障がなければ、光源として、冷陰極線型の蛍光ランプや、通常のランプを用いてもよい。光源を発光ダイオードから構成する場合、例えば波長６４０ｎｍの赤色を発光する赤色発光ダイオード、例えば波長５３０ｎｍの緑色を発光する緑色発光ダイオード、及び、例えば波長４５０ｎｍの青色を発光する青色発光ダイオードを１組として構成して白色光を得ることができるし、白色発光ダイオード（例えば、紫外又は青色発光ダイオードと蛍光体粒子とを組み合わせて白色を発光する発光ダイオード）の発光によって白色光を得ることもできる。赤色、緑色、青色以外の第４番目の色、第５番目の色・・・を発光する発光ダイオードを更に備えていてもよい。
【００１６】
また、光源を発光ダイオードから構成する場合、赤色を発光する複数の赤色発光ダイオード、緑色を発光する複数の緑色発光ダイオード、及び、青色を発光する複数の青色発光ダイオードが、面状光源ユニット内に配置、配列されている。より具体的には、（１つの赤色発光ダイオード，１つの緑色発光ダイオード，１つの青色発光ダイオード）、（１つの赤色発光ダイオード，２つの緑色発光ダイオード，１つの青色発光ダイオード）、（２つの赤色発光ダイオード，２つの緑色発光ダイオード，１つの青色発光ダイオード）等の組合せから成る発光ダイオード・ユニットから、光源を構成することができる。
【００１７】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に出射される構造としてもよいし、発光層からの光が基板を通過して外部に出射される構造としてもよい。より具体的には、発光ダイオード（ＬＥＤ）は、例えば、基板上に形成された第１導電型（例えばｎ型）を有する化合物半導体層から成る第１クラッド層、第１クラッド層上に形成された活性層、活性層上に形成された第２導電型（例えばｐ型）を有する化合物半導体層から成る第２クラッド層の積層構造を有し、第１クラッド層に電気的に接続された第１電極、及び、第２クラッド層に電気的に接続された第２電極を備えている。発光ダイオードを構成する層は、発光波長に依存して、周知の化合物半導体材料から構成すればよい。発光ダイオードからの光取り出し効率を高めるために、発光ダイオードの光出射部分には、一定の大きさを有する半球状の樹脂材料を取り付けることが望ましい。尚、光を特定の方向に射出させたい等の意図がある場合には、例えば、光が水平方向に主に出射される２次元方向出射構成を配設してもよい。
【００１８】
面状光源装置は、更には、光拡散板、拡散シート、プリズムシート、偏光変換シートといった光学機能シート群や、反射シートを備えている構成とすることができる。光学機能シート群は、離間配置された各種シートから構成されていてもよいし、積層され一体として構成されていてもよい。光拡散板を構成する材料として、ポリメタクリル酸メチル（ＰＭＭＡ）、ポリカーボネート樹脂（ＰＣ）を例示することができる。光拡散板や光学機能シート群は、面状光源装置と液晶表示装置との間に配置される。
【００１９】
透過型の液晶表示装置は、例えば、透明第１電極を備えたフロント・パネル、透明第２電極を備えたリア・パネル、及び、フロント・パネルとリア・パネルとの間に配された液晶材料から成る。尚、液晶表示装置は、モノクロ液晶表示装置であってもよいし、カラー液晶表示装置であってもよい。
【００２０】
フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、透過型のカラー液晶表示装置においては、第１の基板の内面に、アクリル樹脂やエポキシ樹脂から成るオーバーコート層によって被覆されたカラーフィルターが設けられている。カラーフィルターの配置パターンとして、デルタ配列、ストライプ配列、ダイアゴナル配列、レクタングル配列を挙げることができる。そして、フロント・パネルは、更に、オーバーコート層上に透明第１電極が形成された構成を有している。尚、透明第１電極上には配向膜が形成されている。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を含む液晶表示装置を構成する各種の部材や液晶材料は、周知の部材、材料から構成することができる。スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００２１】
透明第１電極と透明第２電極の重複領域であって液晶セルを含む領域が、１画素（ピクセル）あるいは１副画素（サブピクセル）に該当する。そして、透過型のカラー液晶表示装置においては、各画素（ピクセル）を構成する赤色発光副画素（副画素［Ｒ］と呼ぶ場合がある）は、係る領域と赤色を透過するカラーフィルターとの組合せから構成され、緑色発光副画素（副画素［Ｇ］と呼ぶ場合がある）は、係る領域と緑色を透過するカラーフィルターとの組合せから構成され、青色発光副画素（副画素［Ｂ］と呼ぶ場合がある）は、係る領域と青色を透過するカラーフィルターとの組合せから構成されている。副画素［Ｒ］、副画素［Ｇ］及び副画素［Ｂ］の配置パターンは、上述したカラーフィルターの配置パターンと一致する。尚、画素は、副画素［Ｒ］、副画素［Ｇ］、及び、副画素［Ｂ］の３種の副画素［Ｒ，Ｇ，Ｂ］を１組として構成される構成に限定されず、例えば、これらの３種の副画素［Ｒ，Ｇ，Ｂ］に更に１種類あるいは複数種類の副画素を加えた１組（例えば、輝度向上のために白色光を発光する副画素を加えた１組、色再現範囲を拡大するために補色を発光する副画素を加えた１組、色再現範囲を拡大するためにイエローを発光する副画素を加えた１組、色再現範囲を拡大するためにイエロー及びシアンを発光する副画素を加えた１組）から構成することもできる。
【００２２】
２次元マトリクス状に配列された画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００２３】
液晶表示装置及び面状光源装置を駆動するための駆動回路は、例えば、定電流回路等の周知の回路から構成された面状光源ユニット駆動回路、及び、論理回路等の周知の回路から構成された面状光源装置制御回路、並びに、タイミングコントローラ等の周知の回路から構成された液晶表示装置駆動回路を備えている。
【００２４】
電気信号として１画像を形成するための画像情報を送るための時間がフレーム期間（単位：秒）であり、フレーム期間の逆数がフレーム周波数（フレームレート）である。尚、フレーム期間には、電気信号として１画像を形成するための画像情報を送った後、次の画像を表示するために電気信号を送るまでの待ち時間も含む。
【００２５】
〈実施例において用いられる液晶表示装置組立体の概要の説明〉
以下、図面を参照して、実施例に基づき本発明の液晶表示装置組立体、及び、液晶表示装置組立体の駆動方法を説明するが、それに先立ち、実施例においての使用に適した透過型の液晶表示装置（具体的には、透過型のカラー液晶表示装置）や面状光源装置等の概要を、図１、図２、図３及び図４を参照して、説明する。
【００２６】
図１に概念図を示すように、液晶表示装置組立体は、
（Ａ）マトリクス状に配列された画素から構成された表示領域１１を有する透過型のカラー液晶表示装置１０、
（Ｂ）表示領域１１を複数の表示領域ユニット１２に分割したと想定したときの各表示領域ユニット１２に対応した複数の面状光源ユニット４１から成り、各面状光源ユニット４１は対応する表示領域ユニット１２に光を照射する面状光源装置４０、並びに、
（Ｃ）液晶表示装置１０及び面状光源装置４０を駆動する駆動回路、
を備えている。
【００２７】
図１に概念図を示すように、透過型のカラー液晶表示装置１０は、第１の方向に沿ってＭ0個、第２の方向に沿ってＮ0個の、合計Ｍ0×Ｎ0個の画素が２次元マトリクス状に配列された表示領域１１を備えている。ここで、表示領域１１を、複数（例えばＰ個）の仮想の表示領域ユニット１２に分割したと想定する。例えば、画像表示用解像度としてＶＧＡ規格を満たすものであり、２次元マトリクス状に配列された画素（ピクセル）の数Ｍ0×Ｎ0を（Ｍ0，Ｎ0）で表記したとき、（６４０，４８０）である。また、２次元マトリクス状に配列された画素から構成された表示領域１１（図１において、一点鎖線で示す）が複数（例えばＰ個）の仮想の表示領域ユニット１２（境界を点線で示す）に分割されている。設計上はＰは２からＮ0までの値を取り得る。図１に示す例ではＰの値は４である。各表示領域ユニット１２は複数の画素から構成されている。各画素は、それぞれが異なる色を発光する複数の副画素を１組として構成されている。より具体的には、各画素は、赤色発光副画素（副画素［Ｒ］）、緑色発光副画素（副画素［Ｇ］）、及び、青色発光副画素（副画素［Ｂ］）の３種の副画素（サブピクセル）から構成されている。この透過型のカラー液晶表示装置１０は、線順次駆動される。より具体的には、カラー液晶表示装置１０は、マトリクス状に交差する走査電極（第１の方向に沿って延びている）とデータ電極（第２の方向に沿って延びている）とを有し、走査電極に走査信号を入力して走査電極を選択、走査し、データ電極に入力された制御信号（基本的には、入力信号に基づいた信号である）に基づき画像を表示させ、１画面を構成する。
【００２８】
液晶表示装置１０は線順次走査され、以て、各表示領域ユニット１２を構成する画素は線順次走査される。尚、以下の説明においては、走査は第２の方向に向かって順次行われるとする。後述するように、表示領域ユニット１２に対応する面状光源ユニット４１は、表示領域ユニット１２の線順次走査が完了した後に、所定の期間に亙って発光状態とされる。実施例における液晶表示装置組立体の駆動方法は、液晶表示装置１０を線順次走査し、以て、各表示領域ユニット１２を構成する画素を線順次走査する処理と、表示領域ユニット１２に対応する面状光源ユニット４１を、表示領域ユニット１２の線順次走査が完了した後に、所定の期間に亙って発光状態とする処理とを備えている。
【００２９】
カラー液晶表示装置１０は、図４に模式的な一部断面図を示すように、透明第１電極２４を備えたフロント・パネル２０、透明第２電極３４を備えたリア・パネル３０、及び、フロント・パネル２０とリア・パネル３０との間に配された液晶材料１３から成る。
【００３０】
フロント・パネル２０は、例えば、ガラス基板から成る第１の基板２１と、第１の基板２１の外面に設けられた偏光フィルム２６とから構成されている。第１の基板２１の内面には、アクリル樹脂やエポキシ樹脂から成るオーバーコート層２３によって被覆されたカラーフィルター２２が設けられ、オーバーコート層２３上には、透明第１電極（共通電極とも呼ばれ、例えば、ＩＴＯから成る）２４が形成され、透明第１電極２４上には配向膜２５が形成されている。一方、リア・パネル３０は、より具体的には、例えば、ガラス基板から成る第２の基板３１と、第２の基板３１の内面に形成されたスイッチング素子（具体的には、薄膜トランジスタ、ＴＦＴ）３２と、スイッチング素子３２によって導通／非導通が制御される透明第２電極（画素電極とも呼ばれ、例えば、ＩＴＯから成る）３４と、第２の基板３１の外面に設けられた偏光フィルム３６とから構成されている。透明第２電極３４を含む全面には配向膜３５が形成されている。フロント・パネル２０とリア・パネル３０とは、それらの外周部で封止材（図示せず）を介して接合されている。尚、スイッチング素子３２は、ＴＦＴに限定されず、例えば、ＭＩＭ素子から構成することもできる。また、図面における参照番号３７は、スイッチング素子３２とスイッチング素子３２との間に設けられた絶縁層である。
【００３１】
これらの透過型のカラー液晶表示装置を構成する各種の部材や、液晶材料は、周知の部材、材料から構成することができるので、詳細な説明は省略する。
【００３２】
直下型の面状光源装置（バックライト）４０は、複数の仮想の表示領域ユニット１２に対応した複数（Ｐ個）の面状光源ユニット４１から成り、各面状光源ユニット４１は、面状光源ユニット４１に対応する表示領域ユニット１２を背面から照明する。面状光源ユニット４１に備えられた光源は、個別に制御される。尚、カラー液晶表示装置１０の下方に面状光源装置４０が位置しているが、図１においては、カラー液晶表示装置１０と面状光源装置４０とを別々に表示した。面状光源装置４０における隔壁や発光ダイオード等の配置、配列状態の模式的な平面図を図２の（Ａ）に示す。また、実施例の液晶表示装置組立体の模式的な端面図を、図２の（Ｂ）に示す。尚、図２の（Ｂ）にあっては、主要な部材を記載するとともに、筐体５１、カラー液晶表示装置１０、光拡散板６１等のハッチングを省略し、拡散板２０の一部を切り欠いた状態とした。更に、カラー液晶表示装置１０及び面状光源装置４０から成る液晶表示装置組立体の模式的な一部断面図を図３に示す。尚、便宜のため、図３においては隔壁４３の表示を省略した。光源は、例えばパルス幅変調（ＰＷＭ）制御方式に基づき駆動される発光ダイオード４２（４２Ｒ，４２Ｇ，４２Ｂ）から成る。
【００３３】
図３に液晶表示装置組立体の模式的な一部断面図を示すように、面状光源装置４０は、外側フレーム５３と内側フレーム５４とを備えた筐体５１から構成されている。そして、透過型のカラー液晶表示装置１０の端部は、外側フレーム５３と内側フレーム５４とによって、スペーサ５５Ａ，５５Ｂを介して挟み込まれるように保持されている。また、外側フレーム５３と内側フレーム５４との間には、ガイド部材５６が配置されており、外側フレーム５３と内側フレーム５４とによって挟み込まれたカラー液晶表示装置１０がずれない構造となっている。筐体５１の内部であって上部には、光拡散板６１が、スペーサ５５Ｃ、ブラケット部材５７を介して、内側フレーム５４に取り付けられている。また、光拡散板６１の上には、拡散シート６２、プリズムシート６３、偏光変換シート６４といった光学機能シート群が積層されている。
【００３４】
筐体５１の内部であって下部には、反射シート６５が備えられている。ここで、この反射シート６５は、その反射面が光拡散板６１と対向するように配置され、筐体５１の底面５２Ａに図示しない取付け用部材を介して取り付けられている。反射シート６５は、例えば、シート基材上に、銀反射膜、低屈折率膜、高屈折率膜を順に積層された構造を有する銀増反射膜から構成することができる。反射シート６５は、複数の発光ダイオード４２（光源４２）から出射された光や、筐体５１の側面５２Ｂ、あるいは、図２の（Ａ）及び（Ｂ）に示す隔壁４３によって反射された光を反射する。こうして、赤色を発光する複数の赤色発光ダイオード４２Ｒ（光源４２Ｒ）、緑色を発光する複数の緑色発光ダイオード４２Ｇ（光源４２Ｇ）、及び、青色を発光する複数の青色発光ダイオード４２Ｂ（光源４２Ｂ）から出射された赤色光、緑色光及び青色光が混色され、色純度の高い白色光を照明光として得ることができる。この照明光は、光拡散板６１、拡散シート６２、プリズムシート６３、偏光変換シート６４といった光学機能シート群を通過し、カラー液晶表示装置１０を背面から照射する。
【００３５】
発光ダイオード４２Ｒ，４２Ｇ，４２Ｂの配列状態は、例えば、赤色（例えば、波長６４０ｎｍ）を発光する赤色発光ダイオード４２Ｒ、緑色（例えば、波長５３０ｎｍ）を発光する緑色発光ダイオード４２Ｇ、及び、青色（例えば、波長４５０ｎｍ）を発光する青色発光ダイオード４２Ｂを１組とした発光ダイオード・ユニットを水平方向及び垂直方向に複数、並べる配列とすることができる。尚、図２に示す例では、１つの面状光源ユニット４１に３つの発光ダイオード・ユニットが配置されている。
【００３６】
面状光源装置４０を構成する面状光源ユニット４１と面状光源ユニット４１とは、隔壁４３で仕切られている。図２の（Ａ）及び（Ｂ）に示した例では、面状光源ユニット４１は、筐体５１の側面と隔壁４３によって囲まれている。具体的には、２つの隔壁４３と筐体５１の２つの側面５２Ｂによって囲まれた面状光源ユニット４１、１つの隔壁４３と筐体５１の３つの側面５２Ｂによって囲まれた面状光源ユニット４１とが存在する。隔壁４３は、筐体５１の底面５２Ａに図示しない取付け用部材を介して取り付けられている。
【００３７】
図１に示すように、外部（ディスプレイ回路）からの入力信号やクロック信号に基づき面状光源装置４０及びカラー液晶表示装置１０を駆動するための駆動回路は、面状光源装置４０を構成する赤色発光ダイオード４２Ｒ、緑色発光ダイオード４２Ｇ及び青色発光ダイオード４２Ｂの発光／非発光制御を行う面状光源装置制御回路７０及び面状光源ユニット駆動回路８０、並びに、液晶表示装置駆動回路９０から構成されている。面状光源装置制御回路７０は論理回路及びシフトレジスタ回路から構成されている。一方、面状光源ユニット駆動回路８０は、例えば発光ダイオード駆動電源（定電流源）から構成されている。面状光源装置制御回路７０及び面状光源ユニット駆動回路８０を構成するこれらの回路等は、周知の回路等とすることができる。
【００３８】
カラー液晶表示装置１０を駆動するための液晶表示装置駆動回路９０は、タイミングコントローラ９１、走査回路９２、ソース・ドライバ（これは図示せず）といった周知の回路から構成されている。タイミングコントローラ９１は外部（ディスプレイ回路）からのクロック信号ＣＬＫに基づいて第１のクロック信号ＣＬＫ１を生成し、走査回路９２に供給する。走査回路９２は、第１のクロック信号ＣＬＫ１に基づいて走査電極ＳＣＬを走査し、液晶セルを構成するＴＦＴから成るスイッチング素子３２を駆動する。ソース・ドライバは、後述する制御信号［Ｒ，Ｇ，Ｂ］の値に応じた電圧の信号を、図示せぬデータ電極に印加する。
【００３９】
面状光源装置制御回路７０は、外部（ディスプレイ回路）からのクロック信号ＣＬＫやタイミングコントローラ９１からの第１のクロック信号ＣＬＫ１等に基づいて、第２のクロック信号ＣＬＫ２を生成する。そして、各制御線ＢＣＬには、順次シフトされた第２のクロック信号ＣＬＫ２が印加される。以下の説明においては、制御線ＢＣＬがハイレベルのときに面状光源ユニット４１は発光状態となり、制御線ＢＣＬがローレベルのときに面状光源ユニット４１は非発光状態になるとする。
【００４０】
２次元マトリクス状に配列された画素から構成された表示領域１１がＰ個の表示領域ユニット１２に分割されているが、この状態を、「行」及び「列」で表現すると、Ｐ行１列の表示領域ユニットに分割されていると云える。
【００４１】
表示領域ユニット１２は複数（Ｍ0×Ｎ）の画素から構成されているが、この状態を、「行」及び「列」で表現すると、Ｎ行×Ｍ0列の画素から構成されていると云える。表示領域１１が均等に分割される場合、基本的には、Ｎ＝Ｎ0／Ｐである。剰余が発生する場合には、いずれかの表示領域ユニット１２に剰余分を含ませればよい。
【００４２】
赤色発光副画素（副画素［Ｒ］）、緑色発光副画素（副画素［Ｇ］）、及び、青色発光副画素（副画素［Ｂ］）を一括して纏めて『副画素［Ｒ，Ｇ，Ｂ］』と呼ぶ場合があるし、副画素［Ｒ，Ｇ，Ｂ］の動作の制御（具体的には、例えば、光透過率（開口率）の制御）のために副画素［Ｒ，Ｇ，Ｂ］に入力される赤色発光副画素・制御信号、緑色発光副画素・制御信号、及び、青色発光副画素・制御信号を一括して纏めて『制御信号［Ｒ，Ｇ，Ｂ］』と呼ぶ場合があるし、表示領域ユニットを構成する副画素［Ｒ，Ｇ，Ｂ］を駆動するために駆動回路に外部から入力される赤色発光副画素・入力信号、緑色発光副画素・入力信号、及び、青色発光副画素・入力信号を一括して纏めて『入力信号［Ｒ，Ｇ，Ｂ］』と呼ぶ場合がある。
【００４３】
各画素は、前述したように、赤色発光副画素（赤色発光サブピクセル，副画素［Ｒ］）、緑色発光副画素（緑色発光サブピクセル，副画素［Ｇ］）、及び、青色発光副画素（青色発光サブピクセル，副画素［Ｂ］）の３種の副画素（サブピクセル）を１組として構成されている。例えば、副画素［Ｒ，Ｇ，Ｂ］のそれぞれの輝度の制御（階調制御）は８ビットの数値で制御され、０〜２５５の２8段階の輝度となる。各表示領域ユニット１２を構成する各画素における副画素［Ｒ，Ｇ，Ｂ］のそれぞれを駆動するために液晶表示装置駆動回路９０に入力される入力信号［Ｒ，Ｇ，Ｂ］の値ｘR，ｘG，ｘBのそれぞれは、２8段階の値をとる。但し、これに限定するものではなく、例えば、１０ビット制御とし、０〜１０２３の２10段階にて行うこともできる。
【００４４】
画素のそれぞれに、画素のそれぞれの光透過率を制御する制御信号が駆動回路から供給される。具体的には、副画素［Ｒ，Ｇ，Ｂ］のそれぞれに、副画素［Ｒ，Ｇ，Ｂ］のそれぞれの光透過率を制御する制御信号［Ｒ，Ｇ，Ｂ］が液晶表示装置駆動回路９０から供給される。即ち、液晶表示装置駆動回路９０においては、入力された入力信号［Ｒ，Ｇ，Ｂ］から制御信号［Ｒ，Ｇ，Ｂ］が生成され、この制御信号［Ｒ，Ｇ，Ｂ］が副画素［Ｒ，Ｇ，Ｂ］に供給（出力）される。例えば、入力信号の値に所謂ガンマ補正が施されている場合には、制御信号［Ｒ，Ｇ，Ｂ］は、基本的には入力信号［Ｒ，Ｇ，Ｂ］の値ｘR，ｘG，ｘBを２．２乗した値に対応する電圧の信号として、周知の方法でカラー液晶表示装置１０に供給される。走査電極ＳＣＬに印加される走査信号に基づき各副画素を構成するスイッチング素子３２が駆動され、制御信号［Ｒ，Ｇ，Ｂ］に基づき液晶セルを構成する透明第１電極２４及び透明第２電極３４に所望の電圧が印加されることで、各副画素の光透過率（開口率）が制御される。ここで、制御信号［Ｒ，Ｇ，Ｂ］の値が大きいほど、副画素［Ｒ，Ｇ，Ｂ］の光透過率（開口率）が高くなる。
【００４５】
以下、図面を参照して、実施例に基づき本発明を説明する。
【実施例】
【００４６】
対応関係を明確にするために、以下の説明にあっては、画素（ピクセル）の数Ｍ0×Ｎ0においてＮ0＝２０であり、表示領域ユニット１２及び面状光源ユニット４１の数は４であり、各表示領域ユニット１２は、５行分の画素を備えているとして説明する。例えば後述する図８に示すように、４つの表示領域ユニット１２を、参照番号１２1，１２2，１２3，１２4で表し、これらに対応する面状光源ユニット４１を、参照番号４１1，４１2，４１3，４１4で表す。
【００４７】
２０行分の画素に対応する走査電極ＳＣＬを線順次走査される順に符号ＳＣＬ1乃至ＳＣＬ20で表すとき、表示領域ユニット１２1に対応する５行分の画素の走査電極は、走査電極ＳＣＬ1乃至走査電極ＳＣＬ5であり、表示領域ユニット１２2に対応する５行分の画素の走査電極は、走査電極ＳＣＬ6乃至走査電極ＳＣＬ10である。表示領域ユニット１２3に対応する５行分の画素の走査電極は、走査電極ＳＣＬ11乃至走査電極ＳＣＬ15であり、表示領域ユニット１２4に対応する５行分の画素の走査電極は、走査電極ＳＣＬ16乃至走査電極ＳＣＬ20である。また、面状光源ユニット４１1，４１2，４１3，４１4に対応する制御線ＢＣＬを、符号ＢＣＬ1，ＢＣＬ2，ＢＣＬ3，ＢＣＬ4で表す。
【００４８】
各フレーム期間において、表示領域ユニット１２1の線順次走査が最初に完了し、次いで、表示領域ユニット１２2の線順次走査が完了し、以下、表示領域ユニット１２3及び表示領域ユニット１２4の順で、線順次走査が完了する。即ち、或るフレーム期間において線順次走査が最初に完了する表示領域ユニット１２とは、表示領域ユニット１２1である。また、或るフレーム期間において線順次走査が最後に完了する表示領域ユニット１２とは、表示領域ユニット１２4である。
【００４９】
参考例に係る液晶表示装置組立体の駆動のタイミングチャートを模式的に図５に示す。また、実施例に係る液晶表示装置組立体の駆動のタイミングチャートを模式的に図６に示す。
【００５０】
後程詳しく説明するが、参考例の動作においては、図５に示す期間Ｔ6の始期から期間Ｔ25の終期までが映像表示期間を構成し（図７の（Ａ）参照）、図５に示す期間Ｔ26の始期から次のフレーム期間に含まれる期間Ｔ5’の終期までが黒表示期間を構成する（図７の（Ｂ）参照）。一方、実施例の動作においては、図６に示す期間Ｔ6の始期から期間Ｔ25の終期までが黒表示期間を構成し（図７の（Ｃ）参照）、図６に示す期間Ｔ26の始期から次のフレーム期間に含まれる期間Ｔ5’の終期までが映像表示期間を構成する（図７の（Ｄ）参照）。
【００５１】
先ず、発明の理解を助けるために、参考例に係る液晶表示装置組立体の動作について説明する。なお、参考例の液晶表示装置組立体の構成は、動作タイミングが異なる他は図１を参照して説明した液晶表示装置組立体と実質的に同様の構成であるので、説明を省略する。
【００５２】
図５に示す期間Ｔ1乃至期間Ｔ40は、参考例の動作における各水平走査期間である。参考例の動作における各水平走査期間の長さをｔ0と表す。説明の便宜のため、参考例及び後述する実施例の動作における第２のクロック信号ＣＬＫ２の長さは５ｔ0であり、制御線ＢＣＬがハイレベルになる期間の長さも５ｔ0であるとする。
【００５３】
参考例の動作においては、面状光源ユニット４１に対応する液晶表示装置１０の部分（より具体的には、表示領域１１の部分）の走査の完了と同期して各面状光源ユニット４１が順次点灯するように制御される。より具体的には、参考例にあっては、各面状光源ユニット４１の線順次走査の完了と同時に対応する面状光源ユニット４１が発光を開始し、所定の期間発光するように制御される。換言すれば、表示領域ユニット１２における線順次走査が完了した後、該表示領域ユニットに対応する面状光源ユニット４１が発光状態となるまでの待ち時間は「０」である。
【００５４】
以下、図５、図８の（Ａ）乃至（Ｄ）、図９の（Ａ）乃至（Ｄ）、図１０の（Ａ）乃至（Ｃ）を参照して、参考例の動作を説明する。
【００５５】
［期間：Ｔ1〜Ｔ5］（図５、図８の（Ａ）参照）
期間Ｔ1の始期から新たなフレーム期間が開始する。図５に示すように、これらの期間において制御線ＢＣＬ1乃至制御線ＢＣＬ4はローレベルにある。図８の（Ａ）に示すように、面状光源ユニット４１1，４１2，４１3，４１4は全て非発光状態である。
【００５６】
［期間：Ｔ1〜Ｔ5］において、表示領域ユニット１２1が線順次走査される。即ち、期間Ｔ1において走査電極ＳＣＬ1はハイレベルとなり、制御信号［Ｒ，Ｇ，Ｂ］に基づき第１行目の各副画素の光透過率が制御される。期間Ｔ2乃至期間Ｔ5においても、走査電極ＳＣＬ2乃至走査電極ＳＣＬ5が順次走査され、第２行目乃至第５行目の各副画素の光透過率が、上述したと同様に制御される。尚、図８において、線順次走査された領域を「新たな走査領域」として示した。他の図面においても同様である。
【００５７】
表示領域ユニット１２2，１２3，１２4は、前のフレーム期間において走査された状態を保持している。図８において、前のフレーム期間において走査された状態を保持している領域を、「前の走査領域」として示した。他の図面においても同様である。
【００５８】
上述したように、この［期間：Ｔ1〜Ｔ5］において表示領域ユニット１２1は線順次走査されるが、面状光源ユニット４１1，４１2，４１3，４１4は全て非発光状態である。従って、液晶表示装置組立体は黒表示状態である。
【００５９】
［期間：Ｔ6〜Ｔ10］（図５、図８の（Ｂ）及び（Ｃ）参照）
［期間：Ｔ6〜Ｔ10］において、表示領域ユニット１２2が線順次走査される。また、期間Ｔ6の始期から、新たな映像表示期間が開始する。走査電極ＳＣＬ6乃至走査電極ＳＣＬ10が順次走査され、第５行目乃至第１０行目の各副画素の光透過率が、上述したと同様に制御される。
【００６０】
一方、制御線ＢＣＬ1は、期間Ｔ6の始期においてローレベルからハイレベルとされ、期間Ｔ10までその状態が維持される。制御線ＢＣＬ2乃至制御線ＢＣＬ4はローレベルにある。面状光源ユニット４１1は発光状態となる。他の面状光源ユニット４１2，４１3，４１4は非発光状態である。これにより、表示領域ユニット１２1における各副画素の光透過率に応じた映像が表示される。
【００６１】
［期間：Ｔ11〜Ｔ15］（図５、図８の（Ｄ）、図９の（Ａ）参照）
［期間：Ｔ11〜Ｔ15］において、表示領域ユニット１２3が線順次走査される。走査電極ＳＣＬ11乃至走査電極ＳＣＬ15が順次走査され、第１１行目乃至第１５行目の各副画素の光透過率が、上述したと同様に制御される。
【００６２】
制御線ＢＣＬ1は、期間Ｔ10の始期においてハイレベルからローレベルとなり、面状光源ユニット４１1は非発光状態となる。一方、制御線ＢＣＬ2は、期間Ｔ10の始期においてローレベルからハイレベルとなり、面状光源ユニット４１2は発光状態となる。制御線ＢＣＬ3，ＢＣＬ4はローレベルにある。面状光源ユニット４１3，４１4は非発光状態である。これにより、表示領域ユニット１２2における各副画素の光透過率に応じた映像が表示される。
【００６３】
［期間：Ｔ16〜Ｔ20］（図５、図９の（Ｂ）及び（Ｃ）参照）
［期間：Ｔ16〜Ｔ20］において、表示領域ユニット１２4が線順次走査される。走査電極ＳＣＬ16乃至走査電極ＳＣＬ20が順次走査され、第１６行目乃至第２０行目の各副画素の光透過率が、上述したと同様に制御される。
【００６４】
制御線ＢＣＬ2は、期間Ｔ16の始期においてハイレベルからローレベルとなり、面状光源ユニット４１2は非発光状態となる。一方、制御線ＢＣＬ3は、期間Ｔ16の始期においてローレベルからハイレベルとなり、面状光源ユニット４１3は発光状態となる。制御線ＢＣＬ1，ＢＣＬ4はローレベルにある。面状光源ユニット４１1，４１4は非発光状態である。これにより、表示領域ユニット１２3における各副画素の光透過率に応じた映像が表示される。
【００６５】
［期間：Ｔ21〜Ｔ25］（図５、図９の（Ｄ）、図１０の（Ａ）参照）
期間Ｔ21から後述する期間Ｔ40まで、走査電極ＳＣＬ1乃至走査電極ＳＣＬ20は走査されず、表示領域ユニット１２1，１２2，１２3，１２4は従前の状態を保持する。
【００６６】
制御線ＢＣＬ3は、期間Ｔ21の始期においてハイレベルからローレベルとなり、面状光源ユニット４１3は非発光状態となる。一方、制御線ＢＣＬ4は、期間Ｔ21の始期においてローレベルからハイレベルとなり、面状光源ユニット４１4は発光状態となる。制御線ＢＣＬ1，ＢＣＬ2はローレベルにある。面状光源ユニット４１1，４１2は非発光状態である。これにより、表示領域ユニット１２4における各副画素の光透過率に応じた映像が表示される。期間Ｔ25の終期が、映像表示期間の終期に相当する。
【００６７】
［期間：Ｔ26〜Ｔ40］（図５、図１０の（Ｂ）参照）
制御線ＢＣＬ4は、期間Ｔ26の始期においてハイレベルからローレベルとなり、面状光源ユニット４１4は非発光状態となる。制御線ＢＣＬ1，ＢＣＬ2，ＢＣＬ3はローレベルにある。面状光源ユニット４１1，４１2，４１3は非発光状態である。
【００６８】
従って、面状光源ユニット４１1，４１2，４１3，４１4は全て非発光状態である。液晶表示装置組立体は黒表示状態となる。期間Ｔ26の始期が、黒表示期間の始期に相当する。
【００６９】
［期間：Ｔ1’〜Ｔ5’］（図５、図１０の（Ｃ）参照）
期間Ｔ1’の始期から次のフレーム期間が開始する。［期間：Ｔ1〜Ｔ5］において説明したと同様に、表示領域ユニット１２1が線順次走査され、第１行目乃至第５行目の各副画素の光透過率が、上述したと同様に制御される。表示領域ユニット１２2，１２3，１２4は、前のフレーム期間において走査された状態を保持している。制御線ＢＣＬ1乃至制御線ＢＣＬ4はローレベルにある。面状光源ユニット４１1，４１2，４１3，４１4は全て非発光状態である。液晶表示装置組立体は黒表示状態を維持する。期間Ｔ5’の終期が、黒表示期間の終期に相当する。
【００７０】
期間Ｔ5’の次の期間Ｔ6’においては、上述した期間Ｔ6において説明したと同様に、面状光源ユニット４１1が発光状態となり、次のフレーム期間に対応する映像表示期間が開始する。
【００７１】
以上、参考例の動作について説明した。図５からも明らかなように、参考例の動作においては、１フィールド期間を構成する期間Ｔ1乃至期間Ｔ40のうち、前半の期間Ｔ1乃至期間Ｔ20において全ての走査電極ＳＣＬを走査しなければならない。これに対し、実施例の動作においては、後述するように、期間Ｔ1乃至期間Ｔ40の全てを走査電極ＳＣＬを走査する期間に割り当てることができる。
【００７２】
次いで、実施例の動作について説明する。尚、実施例においては、水平走査期間の長さは、参考例の水平走査期間の２倍の長さ（２ｔ0）となる。但し、参考例との対比の便宜のため、図５と同様に、図６においても、１フィールド期間は期間Ｔ1乃至期間Ｔ40から成るとした。実施例においては、期間Ｔ1と期間Ｔ2のように、２つの期間を合わせて、１水平走査期間を構成する。
【００７３】
実施例においては、表示領域ユニット１２における線順次走査が完了した後、該表示領域ユニット１２に対応する面状光源ユニット４１が発光状態となるまでの待ち時間は、１つのフレーム期間において線順次走査が最初に完了する表示領域ユニット１２1における待ち時間が最長になるように設定され、線順次走査が最後に完了する表示領域ユニット１２4における待ち時間が最短になるように設定されている。
【００７４】
即ち、図６に示すように、線順次走査が最初に完了する表示領域ユニット１２1における待ち時間は、期間Ｔ11の始期から期間Ｔ25の終期までの時間（１５ｔ0）である。一方、線順次走査が最後に完了する表示領域ユニット１２4における待ち時間は、期間Ｔ40の始期から期間Ｔ1’の終期までの時間であり、参考例と同様に、「０」である。
【００７５】
また、１つのフレーム期間において線順次走査が最初に完了する表示領域ユニット１２1と線順次走査が最後に完了する表示領域ユニット１２4との間に位置する表示領域ユニット１２2，１２3における前記待ち時間は、走査が完了する順番に応じて減少するように設定されている。
【００７６】
即ち、図６に示すように、表示領域ユニット１２2における待ち時間は、期間Ｔ20の始期から期間Ｔ30の終期までの時間（１０ｔ0）である。表示領域ユニット１２3における待ち時間は、期間Ｔ31の始期から期間Ｔ35の終期までの時間（５ｔ0）である。
【００７７】
或るフレーム期間において線順次走査が最後に完了する表示領域ユニット１２4に対応する面状光源ユニット４１4の発光期間と、該或るフレーム期間の次のフレーム期間において線順次走査が最初に完了する表示領域ユニット１２1に対応する面状光源ユニット４１1の発光期間とは、重複しないように設定されている。
【００７８】
図６に示すように、期間Ｔ1から始まるフレーム期間において線順次走査が最後に完了した表示領域ユニット１２4に対応する面状光源ユニット４１4の発光期間は、期間Ｔ1’乃至期間Ｔ5’である。また、期間Ｔ1’から始まる次のフレーム期間において線順次走査が最初に完了した表示領域ユニット１２1に対応する面状光源ユニット４１4の発光期間は、期間Ｔ26’乃至期間Ｔ30’である。このように、前者の期間と、後者の期間とは重複しないように設定されている。
【００７９】
実施例における各面状光源ユニット４１の動作タイミングは、参考例の動作タイミングに対して、開始時期が１フィールド期間の半分遅れている点が相違する他は、上述した参考例における面状光源ユニット４１の動作タイミングと同様である。
【００８０】
或るフレーム期間において線順次走査が最初に完了した表示領域ユニット１２1に対応する面状光源ユニット４１1の発光期間の始期と、該或るフレーム期間において線順次走査が最後に完了した表示領域ユニット１２4に対応する面状光源ユニット４１4の発光期間の終期との間の期間が映像表示期間を構成する。また、或るフレーム期間において線順次走査が最後に完了した表示領域ユニット１２4に対応する面状光源ユニット４１4の発光期間の終期と、該或るフレーム期間の次のフレーム期間において線順次走査が最初に完了した表示領域ユニット１２1に対応する面状光源ユニット４１1の発光期間の始期との間の期間が黒表示期間を構成する。
【００８１】
以下、図６、図１１の（Ａ）乃至（Ｄ）、図１２の（Ａ）乃至（Ｄ）、図１３の（Ａ）乃至（Ｃ）を参照して、実施例の動作を説明する。
【００８２】
［期間：Ｔ1〜Ｔ5］（図６、図１１の（Ａ）参照）
期間Ｔ1の始期から新たなフレーム期間が開始する。図６に示すように、これらの期間において制御線ＢＣＬ1，ＢＣＬ2，ＢＣＬ3はローレベル、制御線ＢＣＬ4はハイレベルにある。図１１の（Ａ）に示すように、面状光源ユニット４１1，４１2，４１3は非発光状態であり、面状光源ユニット４１4は発光状態である。
【００８３】
［期間：Ｔ1〜Ｔ5］において、表示領域ユニット１２1の一部が線順次走査される。即ち、期間Ｔ1乃至期間Ｔ2において走査電極ＳＣＬ2はハイレベルとなり、制御信号［Ｒ，Ｇ，Ｂ］に基づき第１行目の各副画素の光透過率が制御される。期間Ｔ3乃至期間Ｔ4においても、走査電極ＳＣＬ2が走査され、第２行目の各副画素の光透過率が、上述したと同様に制御される。期間Ｔ5と後述する期間Ｔ6において走査電極ＳＣＬ3が走査され、第３行目の各副画素の光透過率が、上述したと同様に制御される。
【００８４】
表示領域ユニット１２1のうち未だ線順次走査されていない部分、及び、表示領域ユニット１２2，１２3，１２4は、前のフレーム期間において走査された状態を保持している。
【００８５】
上述したように、この［期間：Ｔ1〜Ｔ5］において表示領域ユニット１２1は一部が線順次走査されるが、面状光源ユニット４１1，４１2，４１3は非発光状態である。そして、面状光源ユニット４１4は発光状態である。従って、表示領域ユニット１２4における各副画素の光透過率に応じた映像が表示される。期間Ｔ5の終期が、前の映像表示期間の終期に相当する。
【００８６】
［期間：Ｔ6〜Ｔ25］（図６、図１１の（Ｂ）及び（Ｃ）参照）
［期間：Ｔ6〜Ｔ25］において、表示領域ユニット１２1の残りの部分、表示領域ユニット１２2、及び、表示領域ユニット１２3の一部が、線順次走査される。また、期間Ｔ6の始期から、新たな黒表示期間が開始する。
【００８７】
前述した期間Ｔ5、及び、期間Ｔ6において、走査電極ＳＣＬ3が走査される。期間Ｔ7乃至期間Ｔ8において走査電極ＳＣＬ4が走査され、以下順に、走査電極ＳＣＬ5乃至走査電極ＳＣＬ13が順次走査される。尚、走査電極ＳＣＬ13は、期間Ｔ25と後述する期間Ｔ26において走査される。第４行目乃至第１３行目の各副画素の光透過率が、上述したと同様に制御される。
【００８８】
一方、制御線ＢＣＬ4は、期間Ｔ6の始期においてハイレベルからローレベルとなる。面状光源ユニット４１4は非発光状態となる。制御線ＢＣＬ2乃至制御線ＢＣＬ4はローレベルにある。面状光源ユニット４１1，４１2，４１3は非発光状態である。液晶表示装置組立体は黒表示状態となる。期間Ｔ6の始期が黒表示期間の始期に相当し、期間Ｔ26の終期が黒表示期間の終期に相当する。
【００８９】
［期間：Ｔ26〜Ｔ30］（図６、図１１の（Ｄ）、図１２の（Ａ）参照）
［期間：Ｔ26〜Ｔ30］において、表示領域ユニット１２3の残りの部分が線順次走査される。また、期間Ｔ26の始期から、新たな映像表示期間が開始する。前述した期間Ｔ25、及び、期間Ｔ26において、走査電極ＳＣＬ13が走査される。期間Ｔ27乃至期間Ｔ28において走査電極ＳＣＬ14が走査され、期間Ｔ29乃至期間Ｔ30において走査電極ＳＣＬ15が走査される。第１４行目及び第１５行目の各副画素の光透過率が、上述したと同様に制御される。
【００９０】
制御線ＢＣＬ1は、期間Ｔ26の始期においてローレベルからハイレベルとなり、面状光源ユニット４１1は発光状態となる。一方、制御線ＢＣＬ2，ＢＣＬ3，ＢＣＬ4はローレベルにある。面状光源ユニット４１2，４１3，４１4は非発光状態である。これにより、表示領域ユニット１２1における各副画素の光透過率に応じた映像が表示される。
【００９１】
［期間：Ｔ31〜Ｔ35］（図６、図１２の（Ｂ）及び（Ｃ）参照）
［期間：Ｔ31〜Ｔ35］において、表示領域ユニット１２4の一部が線順次走査される。期間Ｔ31乃至期間Ｔ32において走査電極ＳＣＬ16が走査され、期間Ｔ33乃至期間Ｔ34において走査電極ＳＣＬ17が走査され、期間Ｔ35と後述する期間Ｔ36において走査電極ＳＣＬ18が走査される。第１６行目及び第１８行目の各副画素の光透過率が、上述したと同様に制御される。
【００９２】
制御線ＢＣＬ2は、期間Ｔ31の始期においてローレベルからハイレベルとなり、面状光源ユニット４１2は発光状態となる。一方、制御線ＢＣＬ1は、期間Ｔ31の始期においてハイレベルからローレベルとなり、面状光源ユニット４１1は非発光状態となる。制御線ＢＣＬ3，ＢＣＬ4はローレベルにある。面状光源ユニット４１3，４１4は非発光状態である。これにより、表示領域ユニット１２2における各副画素の光透過率に応じた映像が表示される。
【００９３】
［期間：Ｔ36〜Ｔ40］（図６、図１２の（Ｄ）、図１３の（Ａ）参照）
［期間：Ｔ36〜Ｔ40］において、表示領域ユニット１２4の残りの部分が線順次走査される。前述した期間Ｔ35、及び、期間Ｔ36において、走査電極ＳＣＬ18が走査される。期間Ｔ37乃至期間Ｔ38において走査電極ＳＣＬ19が走査され、期間Ｔ39乃至期間Ｔ40において走査電極ＳＣＬ20が走査される。第１９行目及び第２０行目の各副画素の光透過率が、上述したと同様に制御される。
【００９４】
制御線ＢＣＬ2は、期間Ｔ36の始期においてハイレベルからローレベルとなり、面状光源ユニット４１2は非発光状態となる。一方、制御線ＢＣＬ3は、期間Ｔ36の始期においてローレベルからハイレベルとなり、面状光源ユニット４１3は発光状態となる。制御線ＢＣＬ1，ＢＣＬ4はローレベルにある。面状光源ユニット４１1，４１4は非発光状態である。これにより、表示領域ユニット１２3における各副画素の光透過率に応じた映像が表示される。
【００９５】
［期間：Ｔ1’〜Ｔ5’］（図６、図１３の（Ｂ）及び（Ｃ）参照）
期間Ｔ1’の始期から次のフレーム期間が開始する。［期間：Ｔ1〜Ｔ5］において説明したと同様に、表示領域ユニット１２1の一部が線順次走査され、第１行目乃至第３行目の各副画素の光透過率が、上述したと同様に制御される。表示領域ユニット１２1の他の部分、表示領域ユニット１２2，１２3，１２4は、直前のフレーム期間において走査された状態を保持している。
【００９６】
制御線ＢＣＬ3は、期間Ｔ1’の始期においてハイレベルからローレベルとなり、面状光源ユニット４１3は非発光状態となる。一方、制御線ＢＣＬ4は、期間Ｔ1’の始期においてローレベルからハイレベルとなり、面状光源ユニット４１4は発光状態となる。制御線ＢＣＬ1，ＢＣＬ2はローレベルにある。面状光源ユニット４１1，４１2は非発光状態である。これにより、表示領域ユニット１２4における各副画素の光透過率に応じた映像が表示される。期間Ｔ5’の終期が、映像表示期間の終期に相当する。
【００９７】
以上、実施例の動作について説明した。図７に示すように、参考例及び実施例のいずれにおいても、映像表示期間と黒表示期間とは、共にフレーム期間の半分となる。従って、参考例の動作及び実施例の動作において、液晶表示装置組立体は同様の動画特性を示す。
【００９８】
参考例においてはフレーム期間の半分しか液晶表示装置の走査に割り当てることができなかった。これに対し、実施例においてはフレーム期間を全て液晶表示装置の走査に割り当てることができる。即ち、黒表示期間を挿入しても液晶表示装置の走査期間が短くならず、走査におけるタイミングマージンが減少するといったことがない利点を備えている。また、参考例の駆動方法にあっては、走査期間の短縮に伴い走査周波数が高くなり、結果として、液晶表示装置の走査に伴う消費電力の増加を招く。実施例においては、特段液晶表示装置の走査に伴う消費電力の増加を招くこともないといった利点も備えている。
【００９９】
実施例の動作において、次元画像表示用の右目用画像と左目用画像とを交互に表示する場合、例えば図６に示す期間Ｔ6乃至期間Ｔ25において右目用画像を表示し、期間Ｔ6'乃至期間Ｔ25'において左目用画像を表示する。この場合、期間Ｔ26乃至期間Ｔ5’における黒表示期間によって、右目用画像と左目用画像が時間的に完全に分離される。従って、例えば、右目用画像の表示期間においては観測者の左目の視界を閉じ、左目用画像の表示期間においては観測者の右目の視界を閉じるといった眼鏡等を介して観測すれば、良好な３次元画像表示を得ることができる。
【０１００】
尚、図６の動作においては、面状光源ユニット４１1と面状光源ユニット４１2の発光期間、面状光源ユニット４１2と面状光源ユニット４１3の発光期間、及び、面状光源ユニット４１3と面状光源ユニット４１4の発光期間は重複しないものとしたが、これに限るものではない。図１４に示すように、前段の発光期間と後段の発光期間とが一部重複する態様とすることもできる。
【０１０１】
以上、本発明を好ましい実施例に基づき説明したが、本発明はこれらの実施例に限定されるものではない。実施例において説明した透過型のカラー液晶表示装置や面状光源装置、面状光源ユニット、液晶表示装置組立体、駆動回路の構成、構造は例示である。これらを構成する部材、材料等も例示であり、液晶表示装置組立体の駆動工程も例示であり、適宜、変更することができる。
【符号の説明】
【０１０２】
１０・・・カラー液晶表示装置、１１・・・表示領域、１２，１２1，１２2，１２3，１２4・・・表示領域ユニット、１３・・・液晶材料、２０・・・フロント・パネル、２１・・・第１の基板、２２・・・カラーフィルター、２３・・・オーバーコート層、２４・・・透明第１電極、２５・・・配向膜、２６・・・偏光フィルム、３０・・・リア・パネル、３１・・・第２の基板、３２・・・スイッチング素子、３４・・・透明第２電極、３５・・・配向膜、３６・・・偏光フィルム、３７・・・絶縁層、４０・・・面状光源装置、４１，４１1，４１2，４１3，４１4・・・面状光源ユニット、４２，４２Ｒ，４２Ｇ，４２Ｂ・・・発光ダイオード（光源）、４３・・・隔壁、５１・・・筐体、５２Ａ・・・筐体の底面、５２Ｂ・・・筐体の側面、５３・・・外側フレーム、５４・・・内側フレーム、５５Ａ，５５Ｂ・・・スペーサ、５６・・・ガイド部材、５７・・・ブラケット部材、６１・・・光拡散板、６２・・・拡散シート、６３・・・プリズムシート、６４・・・偏光変換シート、６５・・・反射シート、７０・・・面状光源装置制御回路、７１・・・演算回路、７２・・・記憶装置（メモリ）、８０・・・面状光源ユニット駆動回路、９０・・・液晶表示装置駆動回路、９１・・・タイミングコントローラ、９２・・・走査回路
【図１】
2010175797.tif 000003
【図２】
2010175797.tif 000004
【図３】
2010175797.tif 000005
【図４】
2010175797.tif 000006
【図５】
2010175797.tif 000007
【図６】
2010175797.tif 000008
【図７】
2010175797.tif 000009
【図８】
2010175797.tif 000010
【図９】
2010175797.tif 000011
【図１０】
2010175797.tif 000012
【図１１】
2010175797.tif 000013
【図１２】
2010175797.tif 000014
【図１３】
2010175797.tif 000015
【図１４】
2010175797.tif 000016
【手続補正書】
【提出日】平成22年1月26日(2010.1.26)
【手続補正２】
【補正対象書類名】明細書
【補正対象項目名】００３５
【補正方法】変更
【補正の内容】
【００３５】
発光ダイオード４２Ｒ，４２Ｇ，４２Ｂの配列状態は、例えば、赤色（例えば、波長６４０ｎｍ）を発光する赤色発光ダイオード４２Ｒ、緑色（例えば、波長５３０ｎｍ）を発光する緑色発光ダイオード４２Ｇ、及び、青色（例えば、波長４５０ｎｍ）を発光する青色発光ダイオード４２Ｂを１組とした発光ダイオード・ユニットを水平方向及び垂直方向に複数、並べる配列とすることができる。尚、図２に示す例では、１つの面状光源ユニット４１に４つの発光ダイオード・ユニットが配置されている。
【手続補正３】
【補正対象書類名】明細書
【補正対象項目名】００５３
【補正方法】変更
【補正の内容】
【００５３】
参考例の動作においては、面状光源ユニット４１に対応する液晶表示装置１０の部分（より具体的には、表示領域１１の部分）の走査の完了と同期して各面状光源ユニット４１が順次点灯するように制御される。より具体的には、参考例にあっては、各表示領域ユニット１２の線順次走査の完了と同時に対応する面状光源ユニット４１が発光を開始し、所定の期間発光するように制御される。換言すれば、表示領域ユニット１２における線順次走査が完了した後、該表示領域ユニットに対応する面状光源ユニット４１が発光状態となるまでの待ち時間は「０」である。
【手続補正４】
【補正対象書類名】明細書
【補正対象項目名】００７８
【補正方法】変更
【補正の内容】
【００７８】
図６に示すように、期間Ｔ1から始まるフレーム期間において線順次走査が最後に完了した表示領域ユニット１２4に対応する面状光源ユニット４１4の発光期間は、期間Ｔ1’乃至期間Ｔ5’である。また、期間Ｔ1’から始まる次のフレーム期間において線順次走査が最初に完了した表示領域ユニット１２1に対応する面状光源ユニット４１1の発光期間は、期間Ｔ26’乃至期間Ｔ30’である。このように、前者の期間と、後者の期間とは重複しないように設定されている。
【手続補正５】
【補正対象書類名】明細書
【補正対象項目名】００９１
【補正方法】変更
【補正の内容】
【００９１】
［期間：Ｔ31〜Ｔ35］（図６、図１２の（Ｂ）及び（Ｃ）参照）
［期間：Ｔ31〜Ｔ35］において、表示領域ユニット１２4の一部が線順次走査される。期間Ｔ31乃至期間Ｔ32において走査電極ＳＣＬ16が走査され、期間Ｔ33乃至期間Ｔ34において走査電極ＳＣＬ17が走査され、期間Ｔ35と後述する期間Ｔ36において走査電極ＳＣＬ18が走査される。第１６行目乃至第１８行目の各副画素の光透過率が、上述したと同様に制御される。
【手続補正６】
【補正対象書類名】明細書
【補正対象項目名】００９９
【補正方法】変更
【補正の内容】
【００９９】
実施例の動作において、３次元画像表示用の右目用画像と左目用画像とを交互に表示する場合、例えば図６に示す期間Ｔ6乃至期間Ｔ25において右目用画像を表示し、期間Ｔ6'乃至期間Ｔ25'において左目用画像を表示する。この場合、期間Ｔ26乃至期間Ｔ5’における黒表示期間によって、右目用画像と左目用画像が時間的に完全に分離される。従って、例えば、右目用画像の表示期間においては観測者の左目の視界を閉じ、左目用画像の表示期間においては観測者の右目の視界を閉じるといった眼鏡等を介して観測すれば、良好な３次元画像表示を得ることができる。